Podtech/llm-jp-corpus-v4-ja_patent huggingface dataset:
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
顔料、及び樹脂を含有するインクジェット用の水性インクであって、
前記顔料が、下記一般式（１）で表される少なくとも２つの構造がグリコシド結合した化合物を内包することを特徴とする水性インク。
2017210602.tif 000001
（前記一般式（１）中、Ｒ１乃至Ｒ６は、それぞれ独立に水素原子、メチル基、ホスホン酸基、−（ＣＨ２）ｘ−ＯＨ、−（ＯＣＨ（ＣＨ３））ｙ−ＣＯＯＨ、−ＮＨ（ＣＯＣＨ２）ｚ−Ｈ、−ＯＣＯＣＨ２ＣＨ（ＯＣＯＣＨ２（ＯＨ）Ｃ１１Ｈ２２ＣＨ３）Ｃ１０Ｈ２０ＣＨ３、又は−ＮＨＣＯＣＨ２ＣＨ（ＯＣ１１Ｈ２２ＣＨ３）Ｃ１０Ｈ２０ＣＨ３であるとともに、Ｒ１及びＲ２の少なくとも一方はヒドロキシ基である。ｘ、ｙ、及びｚは、それぞれ独立に０以上６以下の数である）
【請求項２】
前記化合物が、デキストラン、アラビノキシラン、キサンタンガム、グアーガム、ヒアルロン酸、ゲランガム、ガングリオシド、ペプチドグリカン、及びリポ多糖からなる群より選択される少なくとも１種である請求項１に記載の水性インク。
【請求項３】
前記化合物が、リポ多糖である請求項１に記載の水性インク。
【請求項４】
前記化合物の重量平均分子量が、２万以上２２０万以下である請求項１乃至３のいずれか１項に記載の水性インク。
【請求項５】
前記顔料に内包される前記化合物の量が、前記顔料の量に対する質量比率で、１ｐｐｍ以上４，５００ｐｐｍ以下である請求項１乃至４のいずれか１項に記載の水性インク。
【請求項６】
前記顔料に内包される前記化合物の含有量（ｐｐｍ）が、前記化合物のインク中の全含有量（ｐｐｍ）に対する質量比率で、９０％以上である請求項１乃至５のいずれか１項に記載の水性インク。
【請求項７】
遊離した状態で存在する前記化合物の含有量（ｐｐｍ）が、インク全質量を基準として、２５ｐｐｍ以下である請求項１乃至６のいずれか１項に記載の水性インク。
【請求項８】
前記顔料の含有量（質量％）が、インク全質量を基準として、０．１質量％以上１５．０質量％以下である請求項１乃至７のいずれか１項に記載の水性インク。
【請求項９】
前記樹脂の含有量（質量％）が、インク全質量を基準として、０．５質量％以上２０．０質量％以下である請求項１乃至８のいずれか１項に記載の水性インク。
【請求項１０】
前記樹脂が、（メタ）アクリル酸エステルに由来するユニットを有する請求項１乃至９のいずれか１項に記載の水性インク。
【請求項１１】
前記樹脂が、ウレタン樹脂、ブロック共重合体、及び樹脂粒子の少なくともいずれかを含む請求項１乃至９のいずれか１項に記載の水性インク。
【請求項１２】
動的光散乱法により測定される前記ウレタン樹脂の体積平均粒子径が、１５ｎｍ以下である請求項１１に記載の水性インク。
【請求項１３】
前記ウレタン樹脂の含有量（質量％）が、前記顔料の含有量（質量％）に対する質量比率で、０．０５倍以上２．００倍以下である請求項１１又は１２に記載の水性インク。
【請求項１４】
前記ブロック共重合体が、カルボン酸基を持ったブロックを有する請求項１１に記載の水性インク。
【請求項１５】
前記ブロック共重合体の含有量（質量％）が、前記顔料の含有量（質量％）に対する質量比率で、０．０５倍以上２．００倍以下である請求項１１又は１４に記載の水性インク。
【請求項１６】
動的光散乱法により測定される前記樹脂粒子の体積平均粒子径が、５０ｎｍ以上３００ｎｍ以下である請求項１１に記載の水性インク。
【請求項１７】
前記樹脂粒子の含有量（質量％）が、前記顔料の含有量（質量％）に対する質量比率で、０．１０倍以上１０．００倍以下である請求項１１又は１６に記載の水性インク。
【請求項１８】
前記顔料が、その粒子表面に直接又は他の原子団を介してアニオン性基が結合している自己分散顔料である請求項１乃至１７のいずれか１項に記載の水性インク。
【請求項１９】
前記顔料が、その粒子表面に物理的に吸着した樹脂分散剤の作用により分散されている請求項１乃至１７のいずれか１項に記載の水性インク。
【請求項２０】
インクと、前記インクを収容するインク収容部とを備えたインクカートリッジであって、
前記インクが、請求項１乃至１９のいずれか１項に記載の水性インクであることを特徴とするインクカートリッジ。
【請求項２１】
インクをインクジェット方式の記録ヘッドから吐出して記録媒体に画像を記録するインクジェット記録方法であって、
前記インクが、請求項１乃至１９のいずれか１項に記載の水性インクであることを特徴とするインクジェット記録方法。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
細孔を含む不透明石英ガラスの製造方法であって、以下の工程
（ａ）合成により製造されたアモルファスＳｉＯ2一次粒子の弱凝集によって、多孔質ＳｉＯ2造粒粒子を製造する方法工程と、
（ｂ）前記多孔質ＳｉＯ2造粒粒子を熱緻密化することで、部分緻密化ＳｉＯ2造粒粒子を形成する方法工程と、
（ｃ）分散液体と前記分散液体中に分散された部分緻密化ＳｉＯ2造粒粒子とを含有する分散液を形成する方法工程と、
（ｄ）前記分散液中の部分緻密化ＳｉＯ2造粒粒子の少なくとも一部を破砕することで、ＳｉＯ2造粒粒子の破砕物を含有するスリップを形成する方法工程と、
（ｅ）前記スリップを成形体へと成形し、前記分散液体を除去することで、グリーン密度ρＧを有する多孔質ＳｉＯ2素地を形成する方法工程と、
（ｆ）前記多孔質ＳｉＯ2素地を焼結して、不透明石英ガラスとする方法工程と、
を含み、
（ｉ）前記工程（ｂ）による熱緻密化に際して、ＢＥＴ吸着測定により測定して０．０２５ｍ2／ｇから２．５ｍ2／ｇの範囲の比表面積ＢＥＴ（Ａ）を有する部分緻密化ＳｉＯ2造粒粒子を製造し、および
（ｉｉ）前記工程（ｄ）による破砕に際して、ＢＥＴ吸着測定により測定して４ｍ2／ｇから１０ｍ2／ｇの範囲の比表面積ＢＥＴ（Ｂ）を有するＳｉＯ2造粒粒子の破砕物を製造する、
前記製造方法。
【請求項２】
前記熱緻密化に際して、ＢＥＴ吸着測定により測定して０．８ｍ2／ｇ未満の比表面積を有する部分緻密化ＳｉＯ2造粒粒子を製造する、請求項１に記載の方法。
【請求項３】
前記工程（ｄ）による破砕の前に、部分緻密化ＳｉＯ2造粒粒子がＢＥＴ吸着測定によって測定して０．２５ｍ2／ｇ以下のミクロ細孔比表面積を有するように、８００℃から１３００℃までの範囲の温度で多孔質ＳｉＯ2造粒粒子を部分緻密化する、請求項１に記載の方法。
【請求項４】
前記工程（ｄ）による破砕の前に、部分緻密化ＳｉＯ2造粒粒子がＢＥＴ吸着測定によって測定して０．１ｍ2／ｇ以下のミクロ細孔比表面積を有するように、８００℃から１３００℃までの範囲の温度でＳｉＯ2造粒粒子を部分緻密化する、請求項１に記載の方法。
【請求項５】
ＳｉＯ2造粒粒子の破砕物が、５μｍ未満のＤ10値Ｄ10（Ｂ）および５０μｍ未満のＤ90値Ｄ90（Ｂ）によって定義される最終的な粒度分布を有する、請求項１に記載の方法。
【請求項６】
前記分散液中のＳｉＯ2造粒粒子が、１５μｍ超のＤ10値Ｄ10（Ａ）および１０５μｍ超のＤ90値Ｄ90（Ａ）によって定義される当初の粒度分布で分散されている、請求項５に記載の方法。
【請求項７】
５μｍより大きい粒度を有するＳｉＯ2粒子の少なくとも８０％が、裂けた形態を有する、請求項１に記載の方法。
【請求項８】
５μｍより大きい粒度を有するＳｉＯ2粒子の少なくとも９０％が、裂けた形態を有する、請求項７に記載の方法。
【請求項９】
成形体へと成形されるときのスリップが、少なくとも７０％の質量割合でＳｉＯ2粒子を含有する、請求項１に記載の方法。
【請求項１０】
成形体へと成形されるときのスリップが、少なくとも７５％の質量割合でＳｉＯ2粒子を含有する、請求項１に記載の方法。
【請求項１１】
成形体へと成形されるときのスリップが、５μｍ未満の粒度で１回目の極大を有し、２０μｍより大きい粒度で２回目の極大を有する多峰性の粒度分布を有する、請求項１に記載の方法。
【請求項１２】
０．７ｇ／ｃｍ3から１ｇ／ｃｍ3までの範囲の嵩密度を有する多孔質ＳｉＯ2造粒粒子を製造する、請求項１に記載の方法。
【請求項１３】
前記部分緻密化を、塩素含有雰囲気下で行う、請求項１に記載の方法。
【請求項１４】
前記工程（ｅ）により成形体へと成形される前のスリップを、真空に曝す、請求項１に記載の方法。
【請求項１５】
ＳｉＯ2素地のグリーン密度を、１．６ｇ／ｃｍ3≦ρＧ≦１．９ｇ／ｃｍ3の範囲の値の値ρＧに調整する、請求項１に記載の方法。
【請求項１６】
前記工程（ａ）による多孔質ＳｉＯ2造粒粒子の製造を、噴霧造粒によって行う、請求項１に記載の方法。
【手続補正書】
【提出日】令和2年2月3日(2020.2.3)
【手続補正１】
【補正対象書類名】特許請求の範囲
【補正対象項目名】請求項２
【補正方法】変更
【補正の内容】
【請求項２】
前記アルキレングリコールアルキルエーテル類が、下記化学式（１）
【化１】
2017210401.tif 000001
（化学式（１）中、Ｒ１は、炭素数１〜５のアルキル基であり、Ｒ５は、水素原子又は炭素数１〜５のアルキル基であり、Ｒ２、Ｒ３、及びＲ４は、互いに独立して水素原子又はメチル基であり、ｍは０〜１の数であり、ｎは２〜５の正数である）
で表されるものであることを特徴とする請求項１に記載の発煙剤。
【手続補正２】
【補正対象書類名】明細書
【補正対象項目名】０００９
【補正方法】変更
【補正の内容】
【０００９】
発煙剤は、前記アルキレングリコールアルキルエーテル類が、下記化学式（１）
【化１】
2017210401.tif 000002
（化学式（１）中、Ｒ１は、炭素数１〜５のアルキル基であり、Ｒ５は、水素原子又は炭素数１〜５のアルキル基であり、Ｒ２、Ｒ３、及びＲ４は、互いに独立して水素原子又はメチル基であり、ｍは０〜１の数であり、ｎは２〜５の正数である）で表されるものであることが好ましい。
【手続補正３】
【補正対象書類名】明細書
【補正対象項目名】００２５
【補正方法】変更
【補正の内容】
【００２５】
媒体液に含まれるアルキレングリコールアルキルエーテル類は、下記化学式（１）
【化２】
2017210401.tif 000003
（化学式（１）中、Ｒ１は、炭素数１〜５のアルキル基であり、Ｒ５は、水素原子又は炭素数１〜５のアルキル基であり、Ｒ２、Ｒ３、及びＲ４は、互いに独立して水素原子又はメチル基であり、ｍは０〜１の数であり、ｎは２〜５、好ましくは３〜５、より好ましくは３〜４の正数である）
で表される。Ｒ１及びＲ５の炭素数１〜５のアルキル基は、直鎖又は分岐鎖のアルキル基であってよく、具体的に例えば、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ｎ−ペンチル基、ｎｅｏ−ペンチル基等が挙げられる。
【手続補正書】
【提出日】令和2年2月28日(2020.2.28)
【手続補正１】
【補正対象書類名】明細書
【補正対象項目名】発明の名称
【補正方法】変更
【補正の内容】
【発明の名称】半導体装置、電子機器および半導体ウエハ
【手続補正２】
【補正対象書類名】特許請求の範囲
【補正対象項目名】全文
【補正方法】変更
【補正の内容】
【特許請求の範囲】
【請求項１】
デジタルアナログ変換回路と、増幅回路と、第１のスイッチと、第２のスイッチと、第３のスイッチと、第４のスイッチと、第１の出力端子と、第２の出力端子と、第１の入力端子と、を有し、
前記デジタルアナログ変換回路の出力端子は、前記増幅回路の非反転入力端子に電気的に接続され、
前記第１のスイッチの一方の端子は、前記増幅回路の反転入力端子に電気的に接続され、
前記第１のスイッチの他方の端子は、前記増幅回路の出力端子に電気的に接続され、
前記第２のスイッチの一方の端子は、前記増幅回路の反転入力端子に電気的に接続され、
前記第２のスイッチの他方の端子は、前記第１の入力端子に電気的に接続され、
前記第３のスイッチの一方の端子は、前記増幅回路の出力端子に電気的に接続され、
前記第３のスイッチの他方の端子は、前記第２の出力端子に電気的に接続され、
前記第４のスイッチの一方の端子は、前記増幅回路の出力端子に電気的に接続され、
前記第４のスイッチの他方の端子は、前記第１の出力端子に電気的に接続され、
前記第１のスイッチと、前記第４のスイッチとを導通にし、前記第２のスイッチと、前記第３のスイッチとを非導通にすることで、前記増幅回路は、帰還制御を行う機能を有し、
前記第１のスイッチと、前記第４のスイッチとを非導通にし、前記第２のスイッチと、前記第３のスイッチとを導通にすることによって、前記増幅回路は、比較制御を行う機能を有する、半導体装置。
【請求項２】
デジタルアナログ変換回路と、増幅回路と、第１のスイッチと、第２のスイッチと、第３のスイッチと、第１の出力端子と、第２の出力端子と、第１の入力端子と、を有し、
前記デジタルアナログ変換回路の出力端子は、前記増幅回路の非反転入力端子に電気的に接続され、
前記第１のスイッチの一方の端子は、前記増幅回路の反転入力端子に電気的に接続され、
前記第１のスイッチの他方の端子は、前記増幅回路の出力端子に電気的に接続され、
前記第２のスイッチの一方の端子は、前記増幅回路の反転入力端子に電気的に接続され、
前記第２のスイッチの他方の端子は、前記第１の入力端子に電気的に接続され、
前記第３のスイッチの一方の端子は、前記増幅回路の出力端子に電気的に接続され、
前記第３のスイッチの他方の端子は、前記第２の出力端子に電気的に接続され、
前記増幅回路の出力端子は、前記第１の出力端子に電気的に接続され、
前記第１のスイッチを導通にし、前記第２のスイッチと、前記第３のスイッチとを非導通にすることで、前記増幅回路は、帰還制御を行う機能を有し、
前記第１のスイッチを非導通にし、前記第２のスイッチと、前記第３のスイッチとを導通にすることによって、前記増幅回路は、比較制御を行う機能を有する、半導体装置。
【請求項３】
デジタルアナログ変換回路と、増幅回路と、第１のスイッチと、第２のスイッチと、第３のスイッチと、第４のスイッチと、第５のスイッチと、第１の入力端子と、第２の入力端子と、第１の出力端子と、第２の出力端子と、を有し、
前記デジタルアナログ変換回路の出力端子は、前記増幅回路の非反転入力端子に電気的に接続され、
前記第１のスイッチの一方の端子は、前記増幅回路の反転入力端子に電気的に接続され、
前記第１のスイッチの他方の端子は、前記増幅回路の出力端子に電気的に接続され、
前記第２のスイッチの一方の端子は、前記増幅回路の反転入力端子に電気的に接続され、
前記第２のスイッチの他方の端子は、前記第１の入力端子に電気的に接続され、
前記第３のスイッチの一方の端子は、前記増幅回路の出力端子に電気的に接続され、
前記第３のスイッチの他方の端子は、前記第２の出力端子に電気的に接続され、
前記第４のスイッチの一方の端子は、前記増幅回路の出力端子に電気的に接続され、
前記第４のスイッチの他方の端子は、前記第１の出力端子に電気的に接続され、
前記第５のスイッチの一方の端子は、前記第１の出力端子に電気的に接続され、
前記第５のスイッチの他方の端子は、前記第２の入力端子に電気的に接続され、
前記第１のスイッチと、前記第４のスイッチとが導通し、前記第２のスイッチと、前記第３のスイッチと、前記第５のスイッチとが非導通にすることによって、前記増幅回路は、帰還制御を行う機能を有し、
前記第１のスイッチと、前記第４のスイッチとが非導通となり、前記第２のスイッチと、前記第３のスイッチと、前記第５のスイッチとが導通することによって、前記増幅回路は、比較制御を行う機能を有し、
前記第２のスイッチと、前記第３のスイッチと、前記第５のスイッチとが導通することで、前記第２の入力端子の入力を、前記第１の出力端子に出力する、半導体装置。
【請求項４】
請求項１乃至３のいずれか一項に記載の半導体装置と、
シフトレジスタ回路、データラッチ回路、およびラッチ回路の少なくとも一と、を有する半導体装置。
【請求項５】
請求項１乃至３のいずれか一項に記載の半導体装置と、アンテナと、を有し、
電磁結合方式、電磁誘導方式、電波方式のいずれか一によってエネルギーを生成する機能を有する半導体装置。
【請求項６】
請求項１乃至３のいずれか一項に記載の半導体装置と、
表示部、タッチセンサ、マイク、スピーカ、操作キー、および筐体の少なくとも一と、を有する電子機器。
【請求項７】
複数の第１領域、およびダイシング用の領域を有する半導体ウエハであって、
前記複数の第１領域には、それぞれ、請求項１乃至３のいずれか一項に記載の半導体装置が設けられている半導体ウエハ。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
脊椎関節治療のための外科用器具システムであって、
ハウジングと、
前記ハウジングに保持され、低速で回転するシャフトであって、焼灼要素および１つ以上の組織掻き取り部材を有する遠位面を有するシャフトと、
前記焼灼要素に結合されたコネクタであって、前記焼灼要素を前記ハウジングとは別個の焼灼源に電気的に接続するコネクタと、
前記ハウジング内に配置された回路であって、（ｉ）ワット数が６０ワットを超える場合、動作を抑制又は防止するために、前記焼灼源によって供給されるワット数を監視すること、及び／又は（ｉｉ）再使用を抑制するための少なくとも１つの定義されたトリガイベントに基づいて前記回路の１つ以上の構成要素を破壊又は解除すること、の一方又は両方を実行するように構成された回路と、
を備える外科用器具システム。
【請求項２】
前記焼灼源は、６０ワットの最大ワット数を有する定義された動作電力曲線を有する電気外科用発電機を備える、請求項１に記載の外科用器具システム。
【請求項３】
前記電気手術用発電機は、前記電力曲線に基づいて出力を制御するためのフィールドプログラマブルゲートアレイ（ＦＰＧＡ）アーキテクチャを備える、請求項２に記載の外科用器具システム。
【請求項４】
前記シャフトを回転させる前記シャフトに結合された電動機を備える、請求項１に記載の外科用器具システム。
【請求項５】
前記ハウジングが、第１のハウジングであり、前記第１のハウジングが、前記シャフトを回転させるモータを保持し、前記焼灼源が、前記シャフトを回転させる前記第１のハウジングの前記モータに結合するシャフト回転電源をも保持する第２のハウジングに保持された電気手術用発電機を備える、請求項１に記載の外科用器具システム。
【請求項６】
前記第１のハウジングは、ユーザが前記シャフトの回転および前記焼灼源への焼灼力のいずれか一方または両方をオンまたはオフにすることを可能にするトリガーを有するピストルグリップ構成を備える、請求項５に記載の外科用器具システム。
【請求項７】
前記電力曲線は、５０ワットの最大出力ワット、１０００ｍＡの最大電流、及び１８０Ｖ−２２０Ｖの範囲の最大電圧を有する、請求項３に記載の外科用器具システム。
【請求項８】
前記電力曲線は、４０ワットの最大出力ワット、１０００ｍＡの最大電流、及び２２０Ｖの最大電圧を有する、請求項３に記載の外科用器具システム。
【請求項９】
前記電力曲線の最大電圧は、０オーム−３０００オームの抵抗範囲内にある、請求項７に記載の外科用器具システム。
【請求項１０】
ガイドカニューレの壁を介して延在する長手方向に離間した流体ポートを有するガイドカニューレであって、前記シャフトは、前記ガイドカニューレを通って摺動可能に下方に延びるように大きさおよび構成されている、ガイドカニューレと、
ベースと、前記ベースの上方に延在する管とを有する外部安定化装置であって、前記管は、真空源に延びる導管と解放可能に係合するアームを有し、前記ベースは、前記管が前記ガイドカニューレの外壁に結合されている間、患者の皮膚に対して静止するように適合されており、それによって前記焼灼要素が焼灼されているときに前記ガイドカニューレから前記アームを介して熱を吸引するようになっている、外部安定化装置と、
を備える、請求項１に記載の外科用器具システム。
【請求項１１】
前記シャフトは、毎分約１０−約５０００回転の回転速度でするように構成されており、前記１つ以上の組織掻き取り部材に、標的脊椎椎間関節の滑液包を含む終板受容体の領域を除去させるように構成されている、請求項１に記載の外科用器具システム。
【請求項１２】
前記電気手術用発電機は、前記シャフトが回転するかまたは静止している間、前記焼灼要素に焼灼電力を供給するように構成されている、請求項３に記載の外科用器具システム。
【請求項１３】
前記ハウジングは、前記シャフトを回転させる電気モータを保持する第１のハウジングであり、前記焼灼源は、電力曲線に基づいて出力を制御するためのフィールドプログラマブルゲートアレイ（ＦＰＧＡ）アーキテクチャを備える電気手術用発電機であり、前記電気手術用発電機は、前記第１のハウジングによって保持された前記モータのための電源も保持する第２のハウジング内に保持されており、前記電力曲線は、５０ワットの最大出力ワット、１０００ｍＡの最大電流、及び１８０Ｖ−２２０Ｖの範囲の最大電圧を有する、請求項１に記載の外科用器具システム。
【請求項１４】
前記電力曲線は、４０ワットの最大出力ワット、１０００ｍＡの最大電流、１８０Ｖ−２２０Ｖの範囲であって０オーム−３０００オームの抵抗範囲内にある最大電圧を有する、請求項１３に記載の外科用器具システム。
【請求項１５】
前記ガイドカニューレに取り外し可能に結合するように構成されたハンドグリップ部材を備え、それにより、前記シャフトを前記ガイドカニューレに挿入する前に、前記ガイドカニューレを所望の位置に配置するために、ユーザが前記ガイドカニューレを同時に回転させて押すことができる、請求項１０に記載の外科用器具システム。
【請求項１６】
前記ハンドグリップ部材は、前記ガイドカニューレの近位端に解放可能に係合する円周方向に延在する停止表面を備えた開放中心チャネルを有する、請求項１５に記載の外科用器具システム。
【請求項１７】
前記焼灼要素は、前記シャフトの前記遠位面を横切って直線状に延びる直線状の焼灼要素であり、前記１つ以上の組織掻き取り部材は、前記直線状の焼灼要素を挟んで間隔をあけて配置された、第１及び第２の直径方向に対向する組織掻き取り部材を備える、請求項１に記載の外科用器具システム。
【請求項１８】
ベースと、前記ベースの上方に延在する管とを有する医療用外部安定装置であって、前記ベースは、２インチ−６インチの範囲内にある幅の外周を有する底面を備え、前記管は、前記ベースよりも小さい幅を有し、前記管は、真空ポートが貫通して延びる外壁と、軸方向に延びる開放された貫通チャネルとを備え、前記管は、真空源に延びる導管に解放可能に係合するアームを備え、前記ベースの底面は、患者の皮膚の外側に、患者の皮膚に対して存在するように適合されている、
医療用外部安定装置。
【請求項１９】
前記アームは、前記管の軸方向に延びる開放された前記貫通チャネルから実質的に直交するように外方に延びている、請求項１８に記載の医療用外部安定装置。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
容器内の液体体積を測定するための装置であって、
電磁放射を放出するように配置及び構成された光源と、
前記放出された電磁放射の少なくとも一部を受光するように配置及び構成された光ガイドであって、前記受光した電磁放射の少なくとも一部を前記光ガイドの長さにわたって分散させ、前記分散させた電磁放射を前記容器の方へ誘導する、光ガイドと、
前記光ガイドに光学的に結合可能な複数のセンサであって、各々が前記分散された電磁放射の少なくとも一部を検出するように配置及び構成された、複数のセンサと、
前記複数のセンサの各々から前記検出された電磁放射の前記少なくとも一部を表すデータを受信するように構成され、前記受信したデータを、前記複数のセンサによって検出された前記電磁放射を表すシグネチャに変換するように動作可能な処理ユニットと、
を備える、装置。
【手続補正書】
【提出日】令和2年5月12日(2020.5.12)
【手続補正１】
【補正対象書類名】明細書
【補正対象項目名】０００７
【補正方法】変更
【補正の内容】
【０００７】
内視鏡用キャップは、挿入部の先端部に着脱することが可能な有底筒型のカバーを有する内視鏡用キャップであって、前記カバーは、前記先端部が挿入される開口端部と、側面に開口する窓部と、前記窓部に連続する直線溝状の切欠部を有する。
【手続補正２】
【補正対象書類名】特許請求の範囲
【補正対象項目名】全文
【補正方法】変更
【補正の内容】
【特許請求の範囲】
【請求項１】
挿入部の先端部に着脱することが可能な有底筒型のカバーを有する内視鏡用キャップであって、
前記カバーは、
前記先端部が挿入される開口端部と、
側面に開口する窓部と、
前記窓部に連続する直線溝状の切欠部を有する
内視鏡用キャップ。
【請求項２】
前記カバーは、射出成型品である
請求項１に記載の内視鏡用キャップ。
【請求項３】
前記切欠部は１本のみである
請求項１または請求項２に記載の内視鏡用キャップ。
【請求項４】
前記先端部に装着された状態で、ユーザが素手で破断可能である
請求項１から請求項３のいずれか一つに記載の内視鏡用キャップ。
【請求項５】
前記カバーは、前記開口端部側から前記カバーの内側に向けて突出している突出部を有し、
前記切欠部は前記突出部に設けられている
請求項１から請求項４のいずれか一つに記載の内視鏡用キャップ。
【請求項６】
挿入部の先端部に着脱することが可能な有底筒型のカバーを有する内視鏡用キャップであって、
前記カバーは、
前記先端部が挿入される開口端部と、
側面に開口する窓部と、
前記窓部に連続する直線溝状の切欠部を１本のみ有する
内視鏡用キャップ。
【手続補正書】
【提出日】令和2年5月12日(2020.5.12)
【手続補正１】
【補正対象書類名】明細書
【補正対象項目名】０００７
【補正方法】変更
【補正の内容】
【０００７】
内視鏡用キャップは、挿入部の外周にキャップ固定溝を有する内視鏡の、前記挿入部の先端に着脱することが可能な有底筒型のカバーを有する内視鏡用キャップであって、前記カバーは、前記挿入部の先端が挿入される開口端部と、側面に開口する窓部と、前記窓部と前記開口端部との間に配置されており、前記カバーの内面から内向きに突出して前記キャップ固定溝と係合する取付突起とを備え、前記カバーの外径は、前記開口端部側で他の部分に比べて太くなっている。
【手続補正２】
【補正対象書類名】特許請求の範囲
【補正対象項目名】全文
【補正方法】変更
【補正の内容】
【特許請求の範囲】
【請求項１】
挿入部の外周にキャップ固定溝を有する内視鏡の、前記挿入部の先端に着脱することが
可能な有底筒型のカバーを有する内視鏡用キャップであって、
前記カバーは、
前記挿入部の先端が挿入される開口端部と、
側面に開口する窓部と、
前記窓部と前記開口端部との間に配置されており、前記カバーの内面から内向きに突
出して前記キャップ固定溝と係合する取付突起とを備え、
前記カバーの外径は、前記開口端部側で他の部分に比べて太くなっている
内視鏡用キャップ。
【請求項２】
前記キャップ固定溝は、前記挿入部の外周を一周する溝であり、
前記取付突起は、前記開口端部に沿って前記カバーの内面を一周する突起である
請求項１に記載の内視鏡用キャップ。
【請求項３】
前記取付突起は、前記開口端部から離れた位置に設けられている
請求項１または請求項２に記載の内視鏡用キャップ。
【請求項４】
前記取付突起は、前記カバーに一体に形成されている
請求項１から請求項３のいずれか一つに記載の内視鏡用キャップ。
【請求項５】
前記内視鏡は、前記挿入部の先端に回動可能に設けられたレバーを有し、
前記カバーの内側に回動可能に支持された起上台を備え、
前記起上台は、前記レバーに連結して前記レバーとともに回動する
請求項１から請求項４のいずれか一つに記載の内視鏡用キャップ。
【手続補正書】
【提出日】令和2年5月12日(2020.5.12)
【手続補正１】
【補正対象書類名】明細書
【補正対象項目名】発明の名称
【補正方法】変更
【補正の内容】
【発明の名称】内視鏡用キャップおよび内視鏡用キャップの使用方法
【手続補正２】
【補正対象書類名】明細書
【補正対象項目名】０００１
【補正方法】変更
【補正の内容】
【０００１】
本発明は、内視鏡用キャップおよび内視鏡用キャップの使用方法に関する。
【手続補正３】
【補正対象書類名】明細書
【補正対象項目名】０００６
【補正方法】変更
【補正の内容】
【０００６】
一つの側面では、内視鏡先端への着脱が容易であり、取り外すことにより内視鏡の洗浄が容易になる、内視鏡用キャップ等を提供することを目的とする。
【手続補正４】
【補正対象書類名】明細書
【補正対象項目名】０００７
【補正方法】変更
【補正の内容】
【０００７】
内視鏡用キャップは、内視鏡の挿入部の先端に回動可能に設けられたレバーに連結するレバー連結部を有する起上台と、前記先端に着脱可能なカバーとを備え、個装材の中に封入された状態で供給される。
【手続補正５】
【補正対象書類名】特許請求の範囲
【補正対象項目名】全文
【補正方法】変更
【補正の内容】
【特許請求の範囲】
【請求項１】
内視鏡用キャップであって、
内視鏡の挿入部の先端に回動可能に設けられたレバーに連結するレバー連結部を有する起上台と、
前記先端に着脱可能なカバーとを備え、
個装材の中に封入された状態で供給される内視鏡用キャップ。
【請求項２】
１個の前記起上台と、１個の前記カバーとが、前記個装材に封入された状態で供給される
請求項１に記載の内視鏡用キャップ。
【請求項３】
内視鏡の挿入部の先端に回動可能に設けられたレバーに連結するレバー連結部を有する起上台と、前記先端に着脱可能なカバーとを備え、個装材の中に封入された状態で供給される内視鏡用キャップを前記個装材から取り出し、
前記レバー連結部を前記レバーに連結するとともに、前記カバーを前記先端に取り付ける
内視鏡用キャップの使用方法。
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
開始条件が成立したことに基づいて可変表示を実行し、複数段階の設定値のうちいずれの設定値に設定されているかに応じて、遊技者にとって有利な有利状態に制御される確率が異なる遊技機であって、
設定値を特定するための設定値情報を記憶する記憶手段と、
前記開始条件が成立したことに基づいて、前記有利状態に制御するか否かを決定する決定手段と、
前記決定手段が前記有利状態に制御するか否かを決定するための数値データを抽出する数値データ抽出手段と、
前記決定手段の決定前に、前記数値データ抽出手段が抽出した数値データと、前記記憶手段に記憶された設定値情報に応じて設定される判定値と、に基づいて前記有利状態に制御されるか否かを判定する判定手段と、
設定値の設定に関する示唆を行う設定示唆演出を実行可能な設定示唆演出実行手段と、を備え、
前記判定手段が前記判定をするときに、前記記憶手段に記憶された設定値情報を特定し、該特定された設定値情報に応じて判定値を設定し、
前記開始条件が成立する前に前記有利状態に制御されるか否かを判定するときと、前記開始条件が成立したときに前記有利状態に制御されるか否かを判定するときとで、共通の判定処理を実行し、
前記設定示唆演出実行手段は、可変表示が実行されているときに前記設定示唆演出を実行可能である、遊技機。
【手続補正２】
【補正対象書類名】明細書
【補正対象項目名】０００４
【補正方法】変更
【補正の内容】
【０００４】
しかしながら、特許文献１に記載の遊技機においては、設定値に応じた有利状態の判定値と複数段階の設定値との関係において、有利状態の判定をするときに、どのように有利状態を判定するための判定値を設定するかが考慮されていなかった。
【手続補正３】
【補正対象書類名】明細書
【補正対象項目名】０００５
【補正方法】変更
【補正の内容】
【０００５】
本発明は、このような問題点に着目してなされたもので、複数段階の設定値が設定された遊技機における有利状態の判定の際に、有利状態の判定を好適に行うことのできる遊技機を提供することを目的とする。
【手続補正４】
【補正対象書類名】明細書
【補正対象項目名】０００６
【補正方法】変更
【補正の内容】
【０００６】
（Ａ）  開始条件が成立したことに基づいて可変表示を実行し、複数段階の設定値のうちいずれの設定値に設定されているかに応じて、遊技者にとって有利な有利状態に制御される確率が異なる遊技機であって、
設定値を特定するための設定値情報を記憶する記憶手段と、
前記開始条件が成立したことに基づいて、前記有利状態に制御するか否かを決定する決定手段と、
前記決定手段が前記有利状態に制御するか否かを決定するための数値データを抽出する数値データ抽出手段と、
前記決定手段の決定前に、前記数値データ抽出手段が抽出した数値データと、前記記憶手段に記憶された設定値情報に応じて設定される判定値と、に基づいて前記有利状態に制御されるか否かを判定する判定手段と、
設定値の設定に関する示唆を行う設定示唆演出を実行可能な設定示唆演出実行手段と、を備え、
前記判定手段が前記判定をするときに、前記記憶手段に記憶された設定値情報を特定し、該特定された設定値情報に応じて判定値を設定し、
前記開始条件が成立する前に前記有利状態に制御されるか否かを判定するときと、前記開始条件が成立したときに前記有利状態に制御されるか否かを判定するときとで、共通の判定処理を実行し、
前記設定示唆演出実行手段は、可変表示が実行されているときに前記設定示唆演出を実行可能である、遊技機。
（１）  可変表示を実行し、遊技者にとって有利な有利状態（例えば、大当り遊技状態）に制御可能な遊技機（例えば、パチンコ遊技機１）であって、
遊技者にとっての有利度（例えば、大当り確率）が異なる複数種類の設定値（例えば、設定値１〜６）のうちからいずれかの設定値を設定可能な設定手段（例えば、ＣＰＵ１０３）と、
設定値の設定に関する示唆を行う設定示唆演出（例えば、図１０−１（Ｄ）に示すような高設定示唆キャラクタ画像１１２Ｆ００２を表示する設定示唆演出）を実行可能な設定示唆演出実行手段（例えば、演出制御用ＣＰＵ１２０）と、
少なくとも可変表示の実行中に特定表示（例えば、保留表示、背景画像）を表示可能な特定表示手段（例えば、演出制御用ＣＰＵ１２０）とを備え、
前記設定示唆演出実行手段は、前記設定示唆演出が実行された後に、前記特定表示を前記設定示唆演出に応じた態様で表示可能である（例えば、図１０−５の１１２ＦＳ０２２に示すように、大当り遊技状態が終了した後の確変状態において設定示唆画像に応じた背景画像、保留表示を表示する）。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御することを判定するための判定用乱数値を生成可能な判定用乱数値生成手段と、
前記有利状態に制御される確率が異なる複数段階の設定値のうちいずれかの設定値に設定可能な設定手段と、
前記判定用乱数値生成手段にて生成された判定用乱数値と、前記設定手段にて設定されている設定値に対応する有利状態判定値とにもとづいて、前記有利状態に制御することを判定する有利状態判定手段と、
所定期間において前記設定値に関する示唆を行う設定示唆演出を実行可能な設定示唆演出実行手段と、を備え、
前記有利状態判定値の数は、設定値に応じて異なり、
前記有利状態判定値の数値範囲は、所定基準値から連続するとともに、設定値に応じて異なる数値範囲となるように設定されており、
前記複数段階の設定値として、第１設定値と、該第１設定値よりも不利な第２設定値と、を含み、
前記設定示唆演出の実行態様として、前記第１設定値に設定されている場合に選択される割合が高い第１態様と、前記第２設定値に設定されている場合に選択される割合が高い第２態様と、を含み、
前記設定示唆演出実行手段は、前記第２態様の設定示唆演出よりも前記第１態様の設定示唆演出を長い期間実行する、
ことを特徴する遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技者にとって有利な有利状態に制御可能な遊技機であって、
前記有利状態に制御することを判定するための判定用乱数値を生成可能な判定用乱数値生成手段と、
前記有利状態に制御される確率が異なる複数段階の設定値のうちいずれかの設定値に設定可能な設定手段と、
前記判定用乱数値生成手段にて生成された判定用乱数値と、前記設定手段にて設定されている設定値に対応する有利状態判定値とにもとづいて、前記有利状態に制御することを判定する有利状態判定手段と、
所定期間において前記設定値に関する示唆を行う設定示唆演出を実行可能な設定示唆演出実行手段と、を備え、
前記有利状態判定値の数は、設定値に応じて異なり、
前記有利状態判定値の数値範囲は、所定基準値から連続するとともに、設定値に応じて異なる数値範囲となるように設定されており、
前記複数段階の設定値として、第１設定値と、該第１設定値よりも不利な第２設定値と、を含み、
前記設定示唆演出の実行態様として、前記第１設定値に設定されている場合に選択される割合が高い第１態様と、前記第２設定値に設定されている場合に選択される割合が高い第２態様と、を含み、
前記設定示唆演出実行手段は、前記第２態様の設定示唆演出よりも前記第１態様の設定示唆演出を長い期間実行する、
ことを特徴する。
（１）上記目的を達成するため、他の態様に係る遊技機は、
遊技者にとって有利な有利状態に制御可能な遊技機（例えばパチンコ遊技機１など）であって、
前記有利状態に制御される確率が異なる複数段階の設定値（例えば、最も遊技者にとって不利な設定値である１から最も遊技者にとって有利な設定値である６までの値など）のうちいずれかの設定値に設定可能な設定手段（例えば、設定値変更処理を実行するＣＰＵ１０３など）と、
所定期間において前記設定値に関する示唆を行う設定示唆演出を実行可能な設定示唆演出実行手段（例えばステップ０６３ＡＫＳ００７の処理を実行する演出制御用ＣＰＵ１２０など）と、を備え、
前記複数段階の設定値として、第１設定値と、該第１設定値よりも不利な第２設定値とを少なくとも含み（例えば最も遊技者にとって不利な設定値である１から最も遊技者にとって有利な設定値である６までの値など）、
前記設定示唆演出の実行態様には、前記第１設定値に設定されている場合に選択される割合が高い第１態様と、前記第２設定値に設定されている場合に選択される割合が高い第２態様と、が含まれ（例えば「態様１」は、設定されている設定値が高い程決定される割合が高くなっている一方、「態様２」は、設定されている設定値が低い程決定される割合が高くなっているなど）、
前記設定示唆演出実行手段は、前記第２態様の設定示唆演出よりも前記第１態様の設定示唆演出を長い期間実行する（例えば図９−８に示すように、Ｔ２＞Ｔ５であるなど）、  ことを特徴とする。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
演出を実行可能な演出実行手段を備え、
前記演出実行手段は、前記有利状態に制御されることを示唆する示唆演出と、前記示唆演出の実行に対応して所定動作を行い演出表示の表示態様を変化させる所定演出と、を実行可能であり、
前記所定演出として、第１特別態様による演出表示を表示した後に所定動作を行う第１所定演出と、第２特別態様による演出表示を表示した後に所定動作を行う第２所定演出と、を含み、
前記第１所定演出が実行されるときと前記第２所定演出が実行されるときとで前記有利状態に制御される割合が異なり、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴とする遊技機。
【手続補正２】
【補正対象書類名】明細書
【補正対象項目名】０００６
【補正方法】変更
【補正の内容】
【０００６】
手段アの遊技機は、
遊技者にとって有利な有利状態に制御される確率に関する設定値を設定可能な遊技機であって、
演出を実行可能な演出実行手段を備え、
前記演出実行手段は、前記有利状態に制御されることを示唆する示唆演出と、前記示唆演出の実行に対応して所定動作を行い演出表示の表示態様を変化させる所定演出と、を実行可能であり、
前記所定演出として、第１特別態様による演出表示を表示した後に所定動作を行う第１所定演出と、第２特別態様による演出表示を表示した後に所定動作を行う第２所定演出と、を含み、
前記第１所定演出が実行されるときと前記第２所定演出が実行されるときとで前記有利状態に制御される割合が異なり、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴とする遊技機。
手段Ｓ１の遊技機は、
遊技者にとって有利な有利状態（大当り遊技状態）に制御可能な遊技機であって、
前記有利状態に制御されることを示唆する示唆演出（擬似連演出、期待度予告演出）を実行可能な示唆演出実行手段（演出制御用ＣＰＵ１２０）と、
前記示唆演出の実行に対応して所定動作（数値の減算を行うカウントダウン動作、数値の加算を行うカウントアップ動作）を行い演出表示の表示態様を変化させる所定演出（カウントダウン演出、カウントアップ演出）を実行可能な所定演出実行手段（演出制御用ＣＰＵ１２０）と、を備え、
前記所定演出実行手段は、前記所定演出として、
第１特別態様による演出表示（初期値として定められている「３」）を表示した後に所定動作（減算、カウントダウン動作）を行う第１所定演出（図１３−９（２）〜（５）に示すように、サブ液晶表示器３５ＴＭ３００に初期値として定められている「３」を表示した後に、カウントダウン動作が行われることにより、数値の減算を行うカウントダウン演出）と、
第２特別態様による演出表示（初期値として定められている「７０」）を表示した後に所定動作（加算、カウントアップ動作）を行う第２所定演出（図１３−１１（１４）〜（１７）に示すように、サブ液晶表示器３５ＴＭ３００に初期値として定められている「７０」を表示した後に、カウントアップ動作が行われることにより、数値の加算を行うカウントアップ演出）と、を実行可能であり、
前記第１所定演出が実行されるときと前記第２所定演出が実行されるときとで前記有利状態に制御される割合が異なる（図１３−７（Ｈ）、（Ｉ）に示すように、カウントダウン演出が実行されるときよりも、カウントアップ演出が実行されるときの方が、大当り期待度が高い）
さらに、
前記有利状態に制御されることを示唆する特定示唆演出（例えばリーチ演出）を実行可能な特定示唆演出実行手段（例えば演出制御用ＣＰＵ１２０）と、
前記特定示唆演出に対応したタイトルを報知可能なタイトル報知手段（例えば演出制御用ＣＰＵ１２０）と、を備え、
前記タイトル報知手段は、前記特定示唆演出の開始から所定期間経過したときに当該特定示唆演出に対応したタイトルを報知可能である（例えば図８−２（Ｄ）、（Ｆ））
ことを特徴とする遊技機。
このような構成によれば、所定表示領域において何れの所定演出が実行されるかに注目させ、興趣を向上させることができる。また、特定示唆演出に応じたタイトルの報知を実行できるので演出効果を高めることができる。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
遊技者の動作を検出可能な検出手段と、
動作可能に設けられた可動体と、
有効期間中に前記検出手段によって遊技者の動作が所定期間に亘って検出されたことにもとづいて、前記可動体を遊技者の動作と連動して動作させる特定演出を実行可能な特定演出実行手段と、
を備え、
前記特定演出実行手段は、
第１の状況であるときに前記検出手段によって遊技者の動作が検出された場合に、前記可動体を第１動作態様にて動作させ、
前記第１の状況とは異なる第２の状況であるときに前記検出手段によって遊技者の動作が検出された場合に、前記可動体を第２動作態様にて動作させ、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
遊技者にとって有利な有利状態に制御される確率に関する設定値を設定可能な遊技機であって、
遊技者の動作を検出可能な検出手段と、
動作可能に設けられた可動体と、
有効期間中に前記検出手段によって遊技者の動作が所定期間に亘って検出されたことにもとづいて、前記可動体を遊技者の動作と連動して動作させる特定演出を実行可能な特定演出実行手段と、
を備え、
前記特定演出実行手段は、
第１の状況であるときに前記検出手段によって遊技者の動作が検出された場合に、前記可動体を第１動作態様にて動作させ、
前記第１の状況とは異なる第２の状況であるときに前記検出手段によって遊技者の動作が検出された場合に、前記可動体を第２動作態様にて動作させ、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴としている。
さらに、本発明の手段１に記載の遊技機は、
遊技が可能な遊技機（例えば、パチンコ遊技機１）であって、
遊技者の動作を検出可能な検出手段（例えば、スティックコントローラ３１Ａやプッシュボタン３１Ｂ）と、
動作可能に設けられた可動体（例えば、可動体１７７ＳＧ３０２Ｌ，１７７ＳＧ３０２Ｒ）と、
有効期間（例えば、プッシュボタン３１Ｂの操作受付期間）中に前記検出手段によって遊技者の動作が所定期間に亘って検出されたことにもとづいて、前記可動体を遊技者の動作と連動して動作させる特定演出（例えば、可動体演出）を実行可能な特定演出実行手段（例えば、演出制御用ＣＰＵ１２０が図８−２４に示す可変表示中演出処理を実行する部分）と、
を備え、
前記特定演出実行手段は、
第１の状況であるときに前記検出手段によって遊技者の動作が検出された場合には、前記可動体を第１動作態様にて動作させ（例えば、図８−２８に示すように、可動体１７７ＳＧ３０２Ｌ，１７７ＳＧ３０２Ｒが原点位置に配置されている状態でプッシュボタン３１Ｂが操作された場合は、移動用モータ１７７ＳＧ３９１Ｌ，１７７ＳＧ３９１Ｒを速度優先モードにて駆動させることで可動体１７７ＳＧ３０２Ｌ，１７７ＳＧ３０２Ｒを高速且つ低トルクで動作させる部分）、
前記第１の状況とは異なる第２の状況であるときに前記検出手段によって遊技者の動作が検出された場合には、前記可動体を第２動作態様にて動作させ（例えば、図８−２８に示すように、可動体１７７ＳＧ３０２Ｌ，１７７ＳＧ３０２Ｒが原点位置に配置されていない状態でプッシュボタン３１Ｂが操作された場合は、移動用モータ１７７ＳＧ３９１Ｌ，１７７ＳＧ３９１Ｒをトルク優先モードにて駆動させることで可動体１７７ＳＧ３０２Ｌ，１７７ＳＧ３０２Ｒを低速で動作させる部分）、
さらに、
遊技者にとって有利な有利状態（例えば大当り遊技状態）に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図１０（Ｄ）、（Ｆ））
ことを特徴としている。
この特徴によれば、演出効果を向上できる。また、示唆演出に応じたタイトルの報知を実行できるので演出効果が向上する。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
特定表示領域を含む複数の表示領域のうち少なくとも何れか１つにおいて特別表示を表示することによって前記有利状態に制御される割合を示唆する示唆演出を実行可能な示唆演出実行手段を備え、
前記示唆演出では、複数種類の演出パターンのうち何れか１つに従った順番で各表示領域において前記特別表示が表示され、
前記複数種類の演出パターンの何れに従って前記示唆演出を実行する場合でも、前記特定表示領域における前記特別表示が最後に表示され、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴とする遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
遊技者にとって有利な有利状態に制御される確率に関する設定値を設定可能な遊技機であって、
特定表示領域を含む複数の表示領域のうち少なくとも何れか１つにおいて特別表示を表示することによって前記有利状態に制御される割合を示唆する示唆演出を実行可能な示唆演出実行手段を備え、
前記示唆演出では、複数種類の演出パターンのうち何れか１つに従った順番で各表示領域において前記特別表示が表示され、
前記複数種類の演出パターンの何れに従って前記示唆演出を実行する場合でも、前記特定表示領域における前記特別表示が最後に表示され、
さらに、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値を変更するための設定値変更処理を含む複数の処理を実行する際に、処理ごとに、前記操作手段が操作されたことを判定することなく、前記特定情報が記憶されていると判定したことにもとづいて処理を実行する処理実行手段と、を備えた
ことを特徴としている。
（１）他の態様に係る遊技機は、
遊技者にとって有利な有利状態（例えば大当り遊技状態など）に制御可能な遊技機（例えばパチンコ遊技機１など）であって、
特定表示領域（例えば図９−１に示す第３枠領域ＡＫ３など）を含む複数の表示領域（例えば図９−１に示す第１枠領域ＡＫ１〜第５枠領域ＡＫ５など）のうち少なくとも何れか１つにおいて特別表示（例えば図９−２に示すカード画像ＣＡ１〜カード画像ＣＢ５など）を表示することによって前記有利状態に制御される割合を示唆する示唆演出（例えばカード演出やキャラクタ実体化演出、ランプステップアップ演出など）を実行可能な示唆演出実行手段（例えば図９−４のカード演出設定処理や図９−１５のカード演出実行処理を実行する演出制御用ＣＰＵ１２０など）を備え、
前記示唆演出では、複数種類の演出パターンのうち何れか１つに従った順番で各表示領域において前記特別表示が表示され（例えばカード演出では、図９−７（ａ）に示す複数種類の演出パターンのうち何れか１つに従った順番で第１枠領域ＡＫ１〜第５枠領域ＡＫ５それぞれにおいてカード画像ＣＡ１〜カード画像ＣＢ５が表示される）、
前記複数種類の演出パターンの何れに従って前記示唆演出を実行する場合でも、前記特定表示領域における前記特別表示が最後に表示され（例えば図９−７（ａ）に示す複数種類の演出パターンの何れに従ってカード演出を実行する場合でも、第３枠領域ＡＫ３におけるカード画像の表示が最後に実行される）、
さらに、
前記有利状態に制御されることを示唆する特定示唆演出（例えばリーチ演出）を実行可能な特定示唆演出実行手段（例えば演出制御用ＣＰＵ１２０）と、
前記特定示唆演出に対応したタイトルを報知可能なタイトル報知手段（例えば演出制御用ＣＰＵ１２０）と、を備え、
前記タイトル報知手段は、前記特定示唆演出の開始から所定期間経過したときに当該特定示唆演出に対応したタイトルを報知可能である（例えば図１１（Ｄ）、（Ｆ））
ことを特徴としている。